Podtech/llm-jp-corpus-v4-ja_patent huggingface dataset:
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
シート状の強化繊維材料が成形型の成形空間内に配され、同繊維材料を被包するバッグフィルムと、バッグフィルム内を減圧する減圧源と、前記繊維材料にマトリックス樹脂の注入口に接続された繊維強化プラスチックの真空注入成形装置であって、
前記バッグフィルムと繊維材料との間に配された多数の小孔を有する多孔フィルムと、
同多孔フィルムと前記バッグフィルムとの間に配され、上記樹脂注入口に接続され脱気回路を有する脱気用シートと、
を備えてなることを特徴とする繊維強化プラスチック成形体の成形装置。
【請求項２】
前記脱気用シートがガラス繊維織物である請求項１記載の成形装置。
【請求項３】
前記多孔フィルムが１ｍ2 あたりに２〜１０００ｍｍ2 の開口面積を有してなることを特徴とする請求項１又は２に記載の成形装置。
【請求項４】
前記多孔フィルムが１ｍ2 あたりに１００個以下で孔を有してなることを特徴とする請求項１〜３のいずれかに記載の成形装置。
【請求項５】
前記成形型が繊維強化プラスチック成形体の成形空間の片側に配され、
前記多孔フィルム、脱気用シート及びバッグフィルムが前記成形型の成形空間開口側に配されてなる、ことを含んでいることを特徴とする請求項１〜４のいずれかに記載の成形装置。
【請求項６】
シート状の強化繊維材料を成形型の成形空間内に配し、同繊維材料をバッグフィルムにて気密に被包し、前記繊維材料にマトリックス樹脂を注入するとともに、バッグフィルム内を減圧して、繊維強化プラスチックを成形する真空注入成形方法にあって、
前記成形型の成形空間内に強化繊維材料を配すること、
同繊維材料の表面を多数の小孔を有する多孔フィルムにて被包すること、
多孔フィルムの表面側に脱気回路を有する脱気用シートを配すること、
バッグフィルムを成形空間内が密閉状態となるように前記脱気用シートの表面側に配すること、
外部の減圧源により前記脱気用シートを介して成形空間内を減圧下におくこと、及び
減圧下にある成形空間内に樹脂注入時の樹脂粘度が２０Poise 以下であるマトリックス樹脂を注入すること、
を含んでなることを特徴とする繊維強化プラスチック成形体の成形方法。
【請求項７】
前記シート状強化繊維材料が多層であることを含んでなる請求項６記載の成形方法。
【請求項８】
前記成形空間の一面を開放すること、
成形型内に強化繊維材料を配すること、
強化繊維材料の開放側表面を被包するようにして成形型の開放側に、前記多孔フィルム、脱気用シート及びバッグフィルムを順次配すること、及び
バッグフィルムの周縁を成形型にシール材を介して気密に固定すること、
を含んでなる請求項６または７に記載の成形方法。
【請求項９】
シート状の強化繊維材料の間にコア材を配することを含んでなることを特徴とする請求項８記載の成形方法。
【手続補正２】
【補正対象書類名】明細書
【補正対象項目名】０００７
【補正方法】変更
【補正の内容】
【０００７】
すなわち、本発明に係る成形装置の基本構成は、シート状の強化繊維材料が成形型の成形空間内に配され、同繊維材料を被包するバッグフィルムと、バッグフィルム内を減圧する減圧源と、前記繊維材料にマトリックス樹脂の注入口に接続された繊維強化プラスチックの真空注入成形装置であって、  前記バッグフィルムと繊維材料との間に配された多数の小孔を有する多孔フィルムと、同多孔フィルムと前記バッグフィルムとの間に配され、上記樹脂注入口に接続され脱気回路を有する脱気用シートと、を備えてなることを特徴とする繊維強化プラスチック成形体の成形装置にある。かかる構成により、樹脂含浸が良好で、且つ高い生産性をもたらす。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
複数の記録素子を所定方向に沿って配列した記録素子列を有する記録ヘッドを用い、前記配列方向と交差する主走査方向に沿って記録媒体上を走査させて記録を行う記録装置と、
該記録装置と接続され、制御情報と画像データとを送信するホスト装置と、を含む記録システムであって、
前記ホスト装置が、
所定の記録パラメータに応じて、前記記録ヘッドの記録素子のうち、記録に使用する記録素子を指定する設定情報を前記制御情報として送信し、
前記走査に対応して前記記録に使用する記録素子で記録すべきデータを画像データとして生成して送信するように構成され、
前記記録装置が、
前記設定情報に応じて、使用する記録素子を設定し、
前記走査の間に、前記設定手段によって設定された記録素子を前記画像データに従って駆動して記録を行うように構成されている、ことを特徴とする記録システム。
【請求項２】
前記ホスト装置は、前記画像データを所定量送信する度に、前記設定情報を送信することを特徴とする請求項１に記載の記録システム。
【請求項３】
前記所定量は、１回の走査、複数回の走査、記録媒体１ページ、１つのジョブのいずれかに対応していることを特徴とする請求項２に記載の記録システム。
【請求項４】
前記記録パラメータは、各記録領域に対する走査数、前記走査の方向、前記記録媒体の種類、前記記録媒体のサイズ、記録解像度、１画素当りのデータ量のいずれかであることを特徴とする請求項１から３のいずれかに記載の記録システム。
【請求項５】
前記記録装置が、複数の記録素子を単位として使用する記録素子を設定し、
前記ホスト装置は、前記記録装置で設定された記録素子のうち、記録に使用しない記録素子に対応してヌルデータを付加して前記画像データを生成することを特徴とする請求項１から４のいずれか１項に記載の記録システム。
【請求項６】
前記複数は２の累乗であることを特徴とする請求項５に記載の記録システム。
【請求項７】
前記設定情報は、連続する複数の記録素子を前記記録に使用する記録素子として識別可能な範囲指定情報を含んでいることを特徴とする請求項１から６のいずれか１項に記載の記録システム。
【請求項８】
前記記録ヘッドが複数の記録素子列を有し、前記設定情報が記録に使用する記録素子列を指定する情報を含むことを特徴とする請求項１から７のいずれか１項に記載の記録システム。
【請求項９】
前記記録装置が複数種類の記録剤を用いたカラー記録が可能なように前記記録ヘッドを複数有しており、
前記ホスト装置は、各記録ヘッドに対して前期設定情報及び前記画像データを送信することを特徴とする請求項１から８のいずれか１項に記載の記録システム。
【請求項１０】
前記記録ヘッドは、インクを吐出して記録を行うインクジェット記録ヘッドであることを特徴とする請求項１から９のいずれか１項に記載の記録システム。
【請求項１１】
前記記録ヘッドは、熱エネルギーを利用してインクを吐出する記録ヘッドであって、インクに与える熱エネルギーを発生するための熱エネルギー変換体を備えていることを特徴とする請求項１０に記載の記録システム。
【請求項１２】
複数の記録素子を所定方向に沿って配列した記録素子列を有する記録ヘッドを用い、該記録ヘッドを前記配列方向と交差する主走査方向に記録媒体上で走査させて記録を行う記録装置に接続されるホスト装置にインストールされ、前記記録装置に制御情報と画像データとを送信するプリンタドライバであって、
所定の記録パラメータに応じて、前記記録ヘッドの記録素子のうち、記録に使用する記録素子を指定する設定情報を作成する設定情報作成工程と、
前記設定情報を制御情報として送信する制御情報送信工程と、
前記走査に対応して前記記録に使用する記録素子で記録すべきデータを画像データとして生成する画像データ生成工程と、
前記画像データを送信する画像データ送信工程と、を実行させるプログラムのコードを備えることを特徴とするプリンタドライバ。
【請求項１３】
請求項１２に記載のプリンタドライバを格納することを特徴とする記憶媒体。
【請求項１４】
ホスト装置から送信された制御情報と画像データとに基づいて、複数の記録素子を所定方向に沿って配列した記録素子列を有する記録ヘッドを、前記配列方向と交差する方向に記録媒体上で走査させて記録を行う記録方法であって、
前記ホスト装置において、所定の記録パラメータに応じて、前記記録ヘッドの記録素子のうち、記録に使用する記録素子を指定する設定情報を前記制御情報として送信し、
前記設定情報に応じて、使用する記録素子を設定し、
前記ホスト装置において、前記走査に対応して前記記録に使用する記録素子で記録すべきデータを画像データとして生成して送信し、
前記走査の間に、前記設定手段によって設定された記録素子を前記画像データに従って駆動して記録を行う、ことを特徴とする記録方法。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
ホスト装置から送信される情報に基づいて、所定方向に配列された記録素子列を有する記録ヘッドを、前記配列方向と交差する方向に記録媒体上で走査させて記録を行う記録装置であって、
前記ホスト装置から送信された記録データを格納するバッファと、
前記バッファに格納された記録データが、１回の走査で前記記録ヘッドが前記記録媒体に記録する記録データの量よりも少ない第１の量に達したときに、前記走査による記録を開始させる開始制御手段と、
前記走査の間に、前記バッファへの記録データの格納が間に合わない場合、該走査を中断させる走査中断手段と、
前記中断の後に、前記バッファに格納された後続する記録データが、第２の量に達したときに、前記中断された走査を実行して１回の走査の記録を完成させる補完記録手段と、を備えることを特徴とする記録装置。
【請求項２】
前記バッファの容量が、該装置における前記記録ヘッドを走査して記録可能な最大幅に対して前記記録ヘッドを１回走査して記録を行うための記録データ量より少ないことを特徴とする請求項１に記載の記録装置。
【請求項３】
前記第１の量が、前記記録バッファの容量と等しいことを特徴とする請求項２に記載の記録装置。
【請求項４】
前記記録バッファは、既に記録に使用された記録データを格納した部分を循環的に再度利用して新たに送信された記録データを格納することを特徴とする請求項２に記載の記録装置。
【請求項５】
前記第１の量と前記第２の量の和が、１回の走査で前記記録ヘッドが前記記録媒体に記録する記録データの量と等しいことを特徴とする請求項１から４のいずれか１項に記載の記録装置。
【請求項６】
前記中断が発生した場合、次の走査に対する前記第１の量を変更する設定変更手段を更に備えることを特徴とする請求項１から５のいずれか１項に記載の記録装置。
【請求項７】
前記設定変更手段は、前記中断が発生した場合、前記第１の量を所定量だけ小さくすることを特徴とする請求項６に記載の記録装置。
【請求項８】
前記設定変更手段は、前記中断が連続した走査において発生した場合、各走査で前記第１の量を異ならせることを特徴とする請求項６又は７に記載の記録装置。
【請求項９】
前記設定変更手段は、前記中断が発生しない場合、前記第１の量を初期値に戻すことを特徴とする請求項６から８のいずれか１項に記載の記録装置。
【請求項１０】
記録媒体のサイズ、記録解像度、１画素当たりのデータ量、記録に使用する記録剤の種類数、及び１回の走査で使用する記録素子の数の少なくとも１つに応じて、前記第１の量を変更する条件変更手段を更に備えることを特徴とする請求項１から９のいずれか１項に記載の記録装置。
【請求項１１】
各領域に対して複数回の走査を行って記録を完成させるマルチパス記録を行うことを特徴とする請求項１から１０のいずれか１項に記載の記録装置。
【請求項１２】
前記中断が発生した場合、以降の前記複数回の走査に対する前記第１の量をそれぞれ異なった値に変更するマルチ設定変更手段を更に備えることを特徴とする請求項１１に記載の記録装置。
【請求項１３】
前記走査を双方向に行って記録を行うことを特徴とする請求項１から１０のいずれか１項に記載の記録装置。
【請求項１４】
前記開始制御手段は、各走査方向に関して前記第１の量を独立して設定することを特徴とする請求項１３に記載の記録装置。
【請求項１５】
前記走査中断手段が走査を中断した後に、前記記録ヘッドを該走査の開始位置に向かって移動させる待機手段を更に備えることを特徴とする請求項１から１４のいずれか１項に記載の記録装置。
【請求項１６】
前記待機手段は、前記記録ヘッドを該走査の開始位置に移動させることを特徴とする請求項１５に記載の記録装置。
【請求項１７】
前記待機手段は、前記記録ヘッドを予備吐出可能な位置に移動させ、前記補完記録手段は、前記中断された走査を実行する前に予備吐出を実行することを特徴とする請求項１５に記載の記録装置。
【請求項１８】
前記バッファが複数のブロックに分割されており、前記第１の量及び前記第２の量がブロックの容量の倍数であることを特徴とする請求項１から１７のいずれか１項に記載の記録装置。
【請求項１９】
ホスト装置から送信される情報に基づいて、所定方向に配列された記録素子列を有する記録ヘッドを、前記配列方向と交差する方向に記録媒体上で走査させて記録を行う記録装置であって、
前記ホスト装置から送信された記録データを格納するバッファと、
前記バッファに格納された記録データが、１回の走査で前記記録ヘッドが前記記録媒体に記録する記録データの量よりも少ない第１の量に達したときに、前記走査による記録を開始させる開始制御手段と、
前記走査の間に、前記バッファへの記録データの格納が間に合わない場合、前記第１の量の記録データを記録した後に該走査を中断させる走査中断手段と、
前記中断の後に、前記バッファに格納された後続する記録データが、第２の量に達したときに、前記中断された走査を実行して１回の走査の記録を完成させる補完記録手段と、を備えることを特徴とする記録装置。
【請求項２０】
ホスト装置から送信される情報に基づいて、所定方向に配列された記録素子列を有する記録ヘッドを、前記配列方向と交差する方向に記録媒体上で走査させて記録を行う記録方法であって、
前記ホスト装置から送信された記録データをバッファに格納する格納工程と、
前記バッファに格納された記録データが、１回の走査で前記記録ヘッドが前記記録媒体に記録する記録データの量よりも少ない第１の量に達したときに、前記走査による記録を開始させる開始制御工程と、
前記走査の間に、前記バッファへの記録データの格納が間に合わない場合、該走査を中断させる走査中断工程と、
前記中断の後に、前記バッファに格納された後続する記録データが、第２の量に達したときに、前記中断された走査を実行して１回の走査の記録を完成させる補完記録工程と、を備えることを特徴とする記録方法。
【手続補正書】
【提出日】平成17年1月26日(2005.1.26)
【手続補正１】
【補正対象書類名】明細書
【補正対象項目名】００１５
【補正方法】変更
【補正の内容】
【００１５】
前記ポリエステル樹脂は芳香族ジカルボン酸成分例えば、テレフタル酸、２，６−ナフタレンジカルボン酸等とグリコール成分例えば、エチレングリコール、トリメチレングリコール、テトラメチレングリコール等のエステルを主成分とする樹脂であり、具体的にはポリエチレンテレフタレート、ポリトリメチレンテレフタレート、ポリブチレンテレフタレート、ポリエチレン−２，６−ナフタレート等を好ましく挙げることができる。さらに好ましいポリマーとしては、グリコール成分がエチレングリコールであるポリエステル樹脂、例えばポリエチレンテレフタレート、ポリエチレン−２，６−ナフタレート等を挙げることができる。かかるポリエステル樹脂は、平均重合度（エステル繰返し単位の結合している数）が４以上、さらには１０以上、特に３０以上の樹脂であることが好ましい。なお、この平均重合度はポリエステル樹脂の使用形態によって変化するものであり特に上限の制限はないが、通常は２００以下、さらには１８０以下であることが好ましい。
【手続補正書】
【提出日】平成17年2月3日(2005.2.3)
【手続補正１】
【補正対象書類名】明細書
【補正対象項目名】００１０
【補正方法】変更
【補正の内容】
【００１０】
第１のシャフト部材１は、図４に示すように、先端から基端に貫通するルーメン１１１を有する第１のシャフト１１と、この第１のシャフト１１の先端に同軸上先端から所定長隔てて設けられた第１の縫合針把持手段４と、第１のシャフト１１の基端に設けられた止血弁付きの第１のコネクタ１２を含んでなる。
第１のシャフト１１は、ステンレス鋼や真鍮などの金属、メッシュ入りまたはコイル状のステンレス鋼、フッ素樹脂（ポリテトラフルオロエチレンなど）やポリプロピレン、ポリエチレン、ポリアミド、ポリエチレンテレフタレート、ポリウレタンなどの合成樹脂で形成された管状部材であり、その先端から基端に貫通して設けられたルーメン１１１には、基端に設けられた第１のコネクタ１２から挿着された第２のシャフト部材２がスライド可能かつ回動可能に挿着されている（正確には第２のシャフト２１が挿着されている）。
第１のコネクタ１２は、一般に、ポリプロピレンやＡＢＳ樹脂、ポリ塩化ビニル、ポリエチレン、ポリエチレンテレフタレート等の合成樹脂や、ステンレス鋼や真鍮などの金属で形成された管状部材であり、基端には第２のシャフト２１の挿入口１２１が形成されている。そして、第１のコネクタ１２の内腔は段差状に形成されて、基端側の内径が先端側の内径より小さくなっており、これにより、第２のシャフト部材２を基端方向に相対移動させた時に、段差１２３と後述の第２のシャフト２１の環状リブ２１３が係合して、第２のシャフト部材２の基端方向への相対移動が阻止されるようになっている。また、コネクタ１２の外周面にはその基端側に後述の第２のシャフト２１のコネクタ２２の一対の舌片２２１を収容する一対の溝１２２が設けられており、第２のシャフト２１は、舌片２２１を溝１２２の先端まで収容した時に、第２のシャフト部材２の先端方向への相対移動が阻止されるようになっている。
また、第１のコネクタ１２の内部には手術中に血液が漏れないように止血手段（図示していない）が設けられている。
【手続補正２】
【補正対象書類名】明細書
【補正対象項目名】００１８
【補正方法】変更
【補正の内容】
【００１８】
次に、心臓内縫合装置全体を若干後退させ、操作部３３を手で把持した状態で穿刺部材５の操作部５４から手を離すと、コイルバネ５３の弾発力により第２の縫合針把持手段５１は後退し、膨部５５２は第３のシャフト３１の中に収容される。この時、把持部３３と５４は隣接状態から元の離隔状態に戻る。この状態で心臓内縫合装置全体を移動させ組織Ｔを切り欠き１４の外に出すと、図１１のような状態になる。この時、第２のシャフト部材２を第１のシャフト部材１に関して回動させ、内視鏡８を縫合針挿入口４２と同軸上に配置することにより、第１の縫合針把持手段４による縫合針６の把持状態を確認することができる。
次に、この状態で第２のシャフト部材２を手で押しこんで第１のシャフト部材１に関して図７と略同じ位置まで前進させ、さらに、操作部３３、５４を把持して操作部５４を操作部３３に隣接する位置まで移動させると、第２の縫合針把持手段５１の膨部５５２が第３のシャフト３１の外に出て中空部材５５の第３のシャフト３１による圧縮が解除され、中空部材５５の内径が縫合針６の外径より大きくなる。この時コイルバネ５３は圧縮されている。この状態で操作部３３を手で押しこんで第３のシャフト部材３を第２のシャフト部材２に関して前進させると、縫合針６は第２の縫合針把持手段５１に収容される（図１２）。
次に、穿刺部材５の操作部５４と第２のシャフト部材２を手で把持した状態で操作部３３から手を離すと、コイルバネ５３の弾発力により第３のシャフト部材３は前進し、膨部５５２は第３のシャフト３１の中に収容されるので、中空部材５５が第３のシャフト３１によって圧縮され、中空部材５５の内径が穿刺針６の外径より小さくなり、穿刺針６は第２の縫合針把持手段５１に把持される。この状態で第１のシャフト部材１を手で押しこんで第２のシャフト部材２に関して前進させると、縫合針６は第２の縫合針把持手段５１に受け渡され、図１３のような状態になる。
この操作を数回繰り返し行い、専用の器具を用いて縫合糸を結紮、切断することにより欠損部閉鎖術は完了する。
【手続補正３】
【補正対象書類名】図面
【補正対象項目名】図５
【補正方法】変更
【補正の内容】
【図５】
2003305046.tif 000001
【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
静磁場を発生する静磁場発生手段と、前記静磁場中にＲＦパルスを発生するＲＦパルス発生手段と、前記静磁場中に配置された被検体に対して所定のパルスシーケンスに基づいて前記ＲＦパルスを印加して核磁気共鳴信号を計測する計測制御手段とを備え、
前記パルスシーケンスは、前記被検体の縦磁化を反転させるＲＦ反転パルスと、前記反転された縦磁化から横磁化を生じさせるＲＦ励起パルスと、前記横磁化の位相を再収束させる１以上のＲＦ再収束パルスと、前記再収束された横磁化を縦磁化に回復させるＲＦ回復パルスとを有する磁気共鳴イメージング装置において、
前記計測制御手段は、前記ＲＦ回復パルスの位相と前記ＲＦ励起パルスの位相とを同一にすることを特徴とする磁気共鳴イメージング装置。
【請求項２】
静磁場を発生する静磁場発生手段と、前記静磁場中にＲＦパルスを発生するＲＦパルス発生手段と、前記静磁場中に配置された被検体に対して所定のパルスシーケンスに基づいて前記ＲＦパルスを印加して核磁気共鳴信号を計測する計測制御手段とを備え、
前記パルスシーケンスは、前記被検体の縦磁化を反転させるＲＦ反転パルスと、前記反転された縦磁化から横磁化を生じさせるＲＦ励起パルスと、前記横磁化の位相を再収束させる１以上のＲＦ再収束パルスと、前記再収束された横磁化を縦磁化に回復させるＲＦ回復パルスとを有する磁気共鳴イメージング装置において、
前記計測制御手段は、前記ＲＦ励起パルスの印加時点における所望成分の前記縦磁化の正負に対応して、前記ＲＦ回復パルスの位相を制御することを特徴とする磁気共鳴イメージング装置。
【請求項３】
請求項２記載の磁気共鳴イメージング装置において、前記計測制御手段は、前記所望成分の縦磁化が負の場合には、前記ＲＦ回復パルスの位相を前記ＲＦ励起パルスの位相と同一にし、前記所望成分の縦磁化が正の場合には、前記ＲＦ回復パルスの位相を前記ＲＦ励起パルスの位相と逆にすることを特徴とする磁気共鳴イメージング装置。
【請求項４】
請求項１乃至３のいずれかに記載の磁気共鳴イメージング装置において、前記計測制御手段は、前記ＲＦ再収束パルスの印加回数が奇数回の場合には、それが偶数回となるようにダミーの前記ＲＦ再収束パルスを前記ＲＦ回復パルスの前に印加することを特徴とする磁気共鳴イメージング装置。
【手続補正２】
【補正対象書類名】明細書
【補正対象項目名】０００６
【補正方法】変更
【補正の内容】
【０００６】
【課題を解決するための手段】
上記目的は、静磁場を発生する静磁場発生手段と、前記静磁場中にＲＦパルスを発生するＲＦパルス発生手段と、前記静磁場中に配置された被検体に対して所定のパルスシーケンスに基づいて前記ＲＦパルスを印加して核磁気共鳴信号を計測する計測制御手段とを備え、前記パルスシーケンスは、前記被検体の縦磁化を反転させるＲＦ反転パルスと、前記反転された縦磁化から横磁化を生じさせるＲＦ励起パルスと、前記横磁化の位相を再収束させる１以上のＲＦ再収束パルスと、前記再収束された横磁化を縦磁化に回復させるＲＦ回復パルスとを有し、前記計測制御手段は、前記ＲＦ回復パルスの位相と前記ＲＦ励起パルスの位相とを同一にすることを特徴とする磁気共鳴イメージング装置によって達成される。
或いは、静磁場を発生する静磁場発生手段と、前記静磁場中にＲＦパルスを発生するＲＦパルス発生手段と、前記静磁場中に配置された被検体に対して所定のパルスシーケンスに基づいて前記ＲＦパルスを印加して核磁気共鳴信号を計測する計測制御手段とを備え、前記パルスシーケンスは、前記被検体の縦磁化を反転させるＲＦ反転パルスと、前記反転された縦磁化から横磁化を生じさせるＲＦ励起パルスと、前記横磁化の位相を再収束させる１以上のＲＦ再収束パルスと、前記再収束された横磁化を縦磁化に回復させるＲＦ回復パルスとを有し、前記計測制御手段は、前記ＲＦ励起パルスの印加時点における所望成分の前記縦磁化の正負に対応して、前記ＲＦ回復パルスの位相を制御することを特徴とする磁気共鳴イメージング装置によって達成される。
【手続補正３】
【補正対象書類名】明細書
【補正対象項目名】０００７
【補正方法】変更
【補正の内容】
【０００７】
また、上記目的は、前記計測制御手段は、前記所望成分の縦磁化が負の場合には、前記ＲＦ回復パルスの位相を前記ＲＦ励起パルスの位相と同一にし、前記所望成分の縦磁化が正の場合には、前記ＲＦ回復パルスの位相を前記ＲＦ励起パルスの位相と逆にすることを特徴とする磁気共鳴イメージング装置によって達成される。
【手続補正４】
【補正対象書類名】明細書
【補正対象項目名】０００８
【補正方法】変更
【補正の内容】
【０００８】
また、上記目的は、前記計測制御手段は、前記ＲＦ再収束パルスの印加回数が奇数回の場合には、それが偶数回となるようにダミーの前記ＲＦ再収束パルスを前記ＲＦ回復パルスの前に印加することを特徴とする磁気共鳴イメージング装置によって達成される。
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
先端側に先端硬質部を備え、処置具を挿通させるための処置具挿通用チャンネルを内蔵する挿入部と、
前記先端硬質部に設けられ、前記処置具挿通チャンネルに連通する開口部と、
前記開口部近傍に設けられ、処置具を誘導する処置具誘導面を有するとともに、前記処置具挿通チャンネルから導出される処置具のうちガイドワイヤを前記先端硬質部との間に挟持可能な縁部を備えた処置具起上台と、
前記挿入部の基端側に接続され、前記処置具起上台を操作する操作部と、
を具備することを特徴とする内視鏡。
【請求項２】
前記縁部として、前記処置具起上台に隣接する前記先端硬質部の壁面によって前記ガイドワイヤを挟持する係止部であることを特徴とする請求項１に記載の内視鏡。
【請求項３】
前記係止部は、前記ガイドワイヤを保持する溝部であることを特徴とする請求項２に記載の内視鏡。
【手続補正２】
【補正対象書類名】明細書
【補正対象項目名】００３１
【補正方法】変更
【補正の内容】
【００３１】
【課題を解決するための手段】
前記目的を達成するため本発明の内視鏡は、先端側に先端硬質部を備え、処置具を挿通させるための処置具挿通用チャンネルを内蔵する挿入部と、前記先端硬質部に設けられ、前記処置具挿通チャンネルに連通する開口部と、前記開口部近傍に設けられ、処置具を誘導する処置具誘導面を有するとともに、前記処置具挿通チャンネルから導出される処置具のうちガイドワイヤを前記先端硬質部との間に挟持可能な縁部を備えた処置具起上台と、前記挿入部の基端側に接続され、前記処置具起上台を操作する操作部と、を具備することを特徴とする。
【手続補正３】
【補正対象書類名】明細書
【補正対象項目名】０１９３
【補正方法】変更
【補正の内容】
【０１９３】
（構成）
図４５及び図４６に示すように、第１５の実施の形態は、第１４実施の形態の処置具誘導部材４３５，４３６と同位置に処置具誘導部材４５５を配置している。この処置具誘導部材４５５は牽引ワイヤ４６１と連結している。
【手続補正書】
【提出日】平成16年12月8日(2004.12.8)
【手続補正１】
【補正対象書類名】明細書
【補正対象項目名】００１１
【補正方法】変更
【補正の内容】
【００１１】
【特許文献１】特許第２９７９５２２号公報
【非特許文献１】日本歯科保存学会雑誌第３９巻第１号，藤林ら，「青色発光ダイオードを応用した照射器に関する研究」
【手続補正書】
【提出日】平成17年6月7日(2005.6.7)
【手続補正１】
【補正対象書類名】明細書
【補正対象項目名】００２４
【補正方法】変更
【補正の内容】
【００２４】
したがって、ポンプ部の構成部品であるプランジャの進退移動、およびそれに伴うバルブ部の構成部品であるバルブブロックの移動で液体の排出および吸引を切換え、詳しくはバルブ部の構成部品であるバルブブロックの位置がポンプ部と液体貯留部が連通する位置にあるときに、プランジャが吐出量に相当する位置まで退行移動して貯留容器から液体をプランジャ室内に移動させ、プランジャを前記退行移動を開始した位置まで進出移動させてノズル先端から液体を吐出させるべく構成し、このとき、退行開始時および吐出完了時のプランジャの先端位置を、バルブブロックとシリンダブロックの接合する面とする。
【手続補正２】
【補正対象書類名】明細書
【補正対象項目名】００４６
【補正方法】変更
【補正の内容】
【００４６】
（４）ここで、貯留容器１とプランジャ室Ａ３１ａとを連通するように、すなわちノズル２とプランジャ室Ｂ３１ｂが連通するようにバルブブロック３４の位置を調節する。
（５）次に、プランジャロッドＢ２８を所望吐出体積量だけモータＡ２０を駆動して進出移動させる。このときモータＡ２０の回転は、プランジャロッドＡ２７が所望吐出体積量だけ後退移動するから、貯留容器１の液体がプランジャ室Ａ３１ａ内に吸引される。
（６）さらに、貯留容器１とプランジャ室Ｂ３１ｂとを連通するように、すなわちノズル２とプランジャ室Ａ３１ａが連通するようにバルブブロック３４の位置を調節する。
（７）プランジャロッドＡ２７を所望吐出体積量だけモータＡ２０を駆動して進出移動させる。プランジャ室Ａ３１ａには所望量の液体が充填されていたから、前記モータＡ２０の駆動によりノズル２先端の吐出口から液体が吐出される。また、貯留容器１とプランジャ室Ｂ３１ｂが連通しており、このときモータＡ２０の回転によりプランジャロッドＢ２８は所望吐出体積量だけ後退移動するから、貯留容器１の液体がプランジャ室Ｂ３１ｂ内に吸引される。
（８）以下４〜７の動作で液体が吐出される。
【手続補正３】
【補正対象書類名】明細書
【補正対象項目名】符号の説明
【補正方法】変更
【補正の内容】
【符号の説明】
１    貯留容器
２    ノズル
１０  エア制御手段
１１  制御部
２０  モータＡ
２１  ギアＡ
２２  ギアＢ
２３  ボールネジＡ
２４  ボールネジＢ
２５  プランジャロッド取付板Ａ
２６  プランジャロッド取付板Ｂ
２７  プランジャロッドＡ
２８  プランジャロッドＢ
２９  シール部
３０  シール部
３１  シリンダブロック
３１ａ  プランジャ室Ａ
３１ｂ  プランジャ室Ｂ
３２  貯留容器取付口
３３  支持アーム
３４  バルブブロック
３５  押部材
３６  エアシリンダＡ
３７  エアシリンダＢ
３８  モータＢ
３９  ボールネジＣ
４０  液送チューブＡ
４１  エアシリンダＢエアチューブ取付口１
４２  エアシリンダＢエアチューブ取付口２
４３  エアチューブＣ
４４  エアチューブＤ
４５  エアシリンダＡエアチューブ取付口１
４６  エアシリンダＡエアチューブ取付口２
４７  エアチューブＥ
４８  エアチューブＦ
４９  ベースブロック
５０  サブブロック
６０  モータＣ
６１  モータＤ
【手続補正書】
【提出日】平成16年6月18日(2004.6.18)
【手続補正１】
【補正対象書類名】明細書
【補正対象項目名】００１０
【補正方法】変更
【補正の内容】
【００１０】
請求項５および６記載の発明は、それぞれ請求項３記載の発明の目的に加え、引手廻動式スライダーに配設する上止具用のガイド面をＵ字状ガイド杆の前面に配設するか、または上止具が摺接する部分に配設することによって、それぞれスムーズに上止具をガイドできるスライドファスナーを提供することが目的である。
【手続補正２】
【補正対象書類名】明細書
【補正対象項目名】００１２
【補正方法】変更
【補正の内容】
【００１２】
【課題を解決するための手段】
前記の目的を達成するため、この発明のうち請求項１記載の発明は、スライドファスナーにおけるファスナーチェン１を開離または閉鎖することができ、スライダー胴体９の上面、前面、下面に連続して突出するＵ字状のガイド杆１０を備えた引手廻動式スライダー６を有するスライドファスナーであって、ファスナーチェン１の閉鎖時に当接状態にあるＵ字状ガイド杆１０と上止具４とを、ファスナーチェン１の開離時にＵ字状ガイド杆１０と上止具４とが摺接し、かつ離間することを案内するガイド面１２、３５を引手廻動式スライダー６および、または上止具４に具備させたスライドファスナーを主な構成としている。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
前面側に入賞口とアウト口を備えてそれぞれ入賞球とアウト球を個別の経路で背面側に導出する遊技盤と、この遊技盤の背面側に配置されるとともに前面側の開口を同遊技盤の背面にて覆蓋されて樋状に形成される入賞球集合部にて背面側に導出された入賞球を集合し当該入賞球に応じて賞球を払い出す賞球払出機構を有する機構盤を備えたパチンコ遊技機において、
上記遊技盤に形成された凹部と、
長穴を有するとともに、上記凹部において上記アウト球の導出経路と上記入賞球集合部から溢れた入賞球を収容する溢れ球収容部とを区画する覆い板とを具備することを特徴とするパチンコ遊技機。
【手続補正２】
【補正対象書類名】明細書
【補正対象項目名】０００８
【補正方法】変更
【補正の内容】
【０００８】
【課題を解決するための手段】
上記目的を達成するため、請求項１にかかる発明は、前面側に入賞口とアウト口を備えてそれぞれ入賞球とアウト球を個別の経路で背面側に導出する遊技盤と、この遊技盤の背面側に配置されるとともに前面側の開口を同遊技盤の背面にて覆蓋されて樋状に形成される入賞球集合部にて背面側に導出された入賞球を集合し当該入賞球に応じて賞球を払い出す賞球払出機構を有する機構盤を備えたパチンコ遊技機において、上記遊技盤に形成された凹部と、長穴を有するとともに、上記凹部において上記アウト球の導出経路と上記入賞球集合部から溢れた入賞球を収容する溢れ球収容部とを区画する覆い板とを具備する構成としてある。
【手続補正３】
【補正対象書類名】明細書
【補正対象項目名】０００９
【補正方法】変更
【補正の内容】
【０００９】
上記のように構成した請求項１にかかる発明においては、遊技盤の前面側には所定の入賞口とアウト口が備えられており、それぞれを介して入賞球とアウト球は個別の経路で背面側に導出される。背面側に導出された入賞球は、機構盤の閉盤時に遊技盤により前面側の開口を覆蓋されて樋状に形成される入賞球集合部にて集合される。遊技盤の側には、アウト球の導出経路と覆い板によって区画されつつ入賞球集合部と連通する凹部にて形成される溢れ球収容部が備えられており、入賞球集合部に導入された入賞球は溢れ球収容部までわたって収容される。そして、賞球払出機構がこの入賞球に応じて賞球を払い出す。また、覆い板６０に形成された長穴にマイナスドライバなどの先端の細い部材を挿入するなどして球詰まりの原因となっているアウト球を排出させることができる。
【手続補正書】
【提出日】平成17年7月7日(2005.7.7)
【手続補正１】
【補正対象書類名】明細書
【補正対象項目名】発明の名称
【補正方法】変更
【補正の内容】
【発明の名称】遊技盤
【手続補正２】
【補正対象書類名】明細書
【補正対象項目名】特許請求の範囲
【補正方法】変更
【補正の内容】
【特許請求の範囲】
【請求項１】
最裏面にはく離可能な薄板が粘着された合板からなり表面に電装装飾品が配設される遊技盤であって、
上記電装装飾品に備えられた弾性仮止め片が無理入れ可能な取付穴と、
上記取付穴の裏面開口縁において上記薄板を部分的に剥離することにより形成され、上記弾性仮止め片が入り込んで位置合わせ可能な位置決め凹部とを具備することを特徴とする遊技盤。
【手続補正３】
【補正対象書類名】明細書
【補正対象項目名】０００１
【補正方法】変更
【補正の内容】
【０００１】
【発明の属する技術分野】
本発明は、遊技盤に関する。
【手続補正４】
【補正対象書類名】明細書
【補正対象項目名】０００２
【補正方法】変更
【補正の内容】
【０００２】
【従来の技術】
従来、この種の遊技盤に備えられる電装装飾品として、図１５および図１６に示すようなパチンコ機の入賞球検出器１が知られている。
この入賞球検出器１は、遊技盤５の表面にて遊技球が通過可能となるように配設された本体部２と、この本体部２の裏側に係止されて両者の間でセンサ３を支持する収容スペースを形成するホルダ部４とを備えている。本体部２は遊技盤の表面に平行となるフランジ部２ａを備えており、このフランジ部２ａにはネジ止め用の貫通穴２ｂを形成してある。
【手続補正５】
【補正対象書類名】明細書
【補正対象項目名】０００４
【補正方法】変更
【補正の内容】
【０００４】
【発明が解決しようとする課題】
上述した従来の遊技盤においては、次のような課題があった。
【手続補正６】
【補正対象書類名】明細書
【補正対象項目名】０００５
【補正方法】変更
【補正の内容】
【０００５】
リード線３ａを取付穴６に挿通する際、裏側で何かに突き当たると、図１７に示すように本体部２は軽いので浮き上がってしまう。人間が取り付け作業をする場合には浮き上がらないように押さえながら作業したり、リード線３ａを障害物から離すなどして対処できるが、自動化のためにロボットなどで仮組みしようとするときには、浮き上がることによって次の工程に支障が生じる。
本発明は、上記課題にかんがみてなされたもので、電装装飾品に長いリード線がある場合でも浮き上がりを防止して自動化に支障が生じないようにすることが可能な遊技盤の提供を目的とする。
【手続補正７】
【補正対象書類名】明細書
【補正対象項目名】０００６
【補正方法】変更
【補正の内容】
【０００６】
【課題を解決するための手段】
上記目的を達成するため、請求項１にかかる発明は、最裏面にはく離可能な薄板が粘着された合板からなり表面に電装装飾品が配設される遊技盤であって、上記電装装飾品に備えられた弾性仮止め片が無理入れ可能な取付穴と、上記取付穴の裏面開口縁において上記薄板を部分的に剥離することにより形成され、上記弾性仮止め片が入り込んで位置合わせ可能な位置決め凹部とを具備する構成としてある。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
遊技盤自体は合板で形成されるとともに最裏面にはく離可能な薄板を貼着してある。そして、この薄板は別の位置合わせのために所定形状にくりぬかれたり剥がされたりしている。このような実体に鑑み、取付穴の裏面開口縁でこの薄板をはく離し、位置決め凹部としている。
【手続補正１４】
【補正対象書類名】明細書
【補正対象項目名】００１５
【補正方法】変更
【補正の内容】
【００１５】
【発明の効果】
以上説明したように本発明は、取付穴に向かって延設される弾性仮止め片を備えることによってネジ止め前に所定位置に保持できるようにしたので、リード線によって浮き上がって自動化に支障が生じることを未然に防止するとともに、位置合わせを極めて容易に行うことが可能な遊技盤を提供することができる。
【手続補正１５】
【補正対象書類名】明細書
【補正対象項目名】００１６
【補正方法】削除
【補正の内容】
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
再生樹脂成形材料の欠点を補いつつ、樹脂構成部材に再生樹脂成形材料を使用することができることを特徴とする遊技機。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
所定賞球個数の割り当てられた複数の入賞口が配設された遊技領域に遊技球を発射して遊技を実施させる遊技機構と、
所定の賞球払出要求に基づいて上記遊技球が入賞した入賞口に対して割り当てられた賞球個数分の賞球を払い出す賞球払出装置と、
上記遊技機構における各入賞口について遊技球の入賞を検知する複数の入賞口スイッチと、
各入賞口への入賞球が導入される樋状に形成され、底面がなだらかに傾斜している入賞球集合空間と、
この入賞球集合空間の傾斜方向端部に配置され、導入された入賞球を検出するにあたって入賞球が排出されるまでスイッチレベルが所定レベルに維持される入賞球検出スイッチが配設されるとともに、一個の入賞球につき上記賞球払出装置による賞球の払出を実行させ、この払出が完了したら同入賞球を排出する入賞球処理装置と、
上記入賞口スイッチのスイッチレベルを監視し、同スイッチレベルの変化に基づいて各入賞口に入賞があったものと判断して各入賞口ごとに入賞個数をカウントするとともに、上記入賞球処理装置における上記入賞球検出スイッチのスイッチレベルを監視しつつ所定の賞球払出要求処理を行なう主基板とを備え、
上記複数の入賞口には賞球個数の少ないものから順に優先順位が予め付与されており、
上記主基板は、同優先順位に基づいて上記カウント結果を検索し、入賞個数を検知したら入賞口に対する入賞個数を減算し、上記賞球払出装置に対する所定の賞球払出要求を出力することを特徴とするパチンコ遊技機。
【請求項２】
上記主基板は、上記賞球払出要求として、賞球個数と賞球要求と入賞口を識別するための識別コードから構成され、それぞれ異なる賞球個数に対応する複数の区分データに分類される複数ビットからなるシリアルデータを出力することを特徴とする請求項１に記載のパチンコ遊技機。
【請求項３】
上記賞球個数と、上記識別コードを参照することにより、入賞口を個別に判別可能であることを特徴とする請求項２に記載のパチンコ遊技機。
【請求項４】
上記主基板は、各入賞口ごとに上記入賞個数をカウントした際、所定の時間が経過しても上記入賞球検出スイッチのスイッチレベルが変化しないときは、上記カウント結果をクリアすることを特徴とする請求項１〜３のいずれかに記載のパチンコ遊技機。
【手続補正２】
【補正対象書類名】明細書
【補正対象項目名】０００６
【補正方法】変更
【補正の内容】
【０００６】
【課題を解決するための手段】
上記目的を達成するため、請求項１にかかる発明は、
所定賞球個数の割り当てられた複数の入賞口が配設された遊技領域に遊技球を発射して遊技を実施させる遊技機構と、
所定の賞球払出要求に基づいて上記遊技球が入賞した入賞口に対して割り当てられた賞球個数分の賞球を払い出す賞球払出装置と、
上記遊技機構における各入賞口について遊技球の入賞を検知する複数の入賞口スイッチと、
各入賞口への入賞球が導入される樋状に形成され、底面がなだらかに傾斜している入賞球集合空間と、
この入賞球集合空間の傾斜方向端部に配置され、導入された入賞球を検出するにあたって入賞球が排出されるまでスイッチレベルが所定レベルに維持される入賞球検出スイッチが配設されるとともに、一個の入賞球につき上記賞球払出手段による賞球の払出を実行させ、この払出が完了したら同入賞球を排出する入賞球処理装置と、
上記入賞口スイッチのスイッチレベルを監視し、同スイッチレベルの変化に基づいて各入賞口に入賞があったものと判断して各入賞口ごとに入賞個数をカウントするとともに、上記入賞球処理装置における上記入賞球検出スイッチのスイッチレベルを監視しつつ所定の賞球払出要求処理を行なう主基板とを備え、
上記複数の入賞口には賞球個数の少ないものから順に優先順位が予め付与されており、
上記主基板は、同優先順位に基づいて上記カウント結果を検索し、入賞個数を検知したら入賞口に対する入賞個数を減算し、上記賞球払出装置に対する所定の賞球払出要求を出力する構成としてある。
また、請求項２にかかる発明では、
上記主基板は、上記賞球払出要求として、賞球個数と賞球要求と入賞口を識別するための識別コードから構成され、それぞれ異なる賞球個数に対応する複数の区分データに分類される複数ビットからなるシリアルデータを出力する構成としてある。
さらに、請求項３にかかる発明では、
上記賞球個数と、上記識別コードを参照することにより、入賞口を個別に判別可能である構成としてある。
さらに、請求項４にかかる発明では、
上記主基板は、各入賞口ごとに上記入賞個数をカウントした際、所定の時間が経過しても上記入賞球検出スイッチのスイッチレベルが変化しないときは、上記カウント結果をクリアする構成としてある。
【手続補正３】
【補正対象書類名】明細書
【補正対象項目名】００１３
【補正方法】変更
【補正の内容】
【００１３】
【発明の効果】
以上説明したように本発明は、上記入賞口スイッチのスイッチレベルを監視し、同スイッチレベルの変化に基づいて各入賞口に入賞があったものと判断して各入賞口ごとに入賞個数をカウントするとともに、上記入賞球処理装置における上記入賞球検出スイッチのスイッチレベルを監視し、賞球個数の少ないものから順に優先順位が予め付与された各入賞口について同優先順位に基づいて上記カウント結果を検索し、入賞個数を検知したら入賞口に対する入賞個数を減算し、上記賞球払出装置に対する所定の賞球払出要求を出力し、各入賞口に対して割り当てられた賞球個数分の賞球を払い出すことが可能なパチンコ遊技機を提供することができる。
また、請求項２にかかる発明によれば、複数ビットからなるシリアルデータを出力して賞球払出要求処理を行なうことが可能なパチンコ遊技機を提供することができる。
さらに、請求項３にかかる発明によれば、シリアルデータから入賞口を個別に判別可能で、入賞球に関する詳細な統計情報を取得することが可能なパチンコ遊技機を提供することができる。
さらに、請求項４にかかる発明によれば、入賞口スイッチにてノイズが発生した場合など、入賞がなかったにもかかわらず、入賞として検出されてしまう場合でも、同ノイズによる誤差を吸収することが可能なパチンコ遊技機を提供することができる。
【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
遊技球を貯留する遊技球タンクと同遊技球タンクの下部流出口から遊技球払い出し機構へ遊技球を流下させるタンクレールとを有する遊技球流路部を備える遊技機であって、
上記遊技球タンクにおける上記下部流出口の近傍と、上記タンクレールにおける上記下部流出口に対面する遊技球導入部位の近傍と、の少なくとも一方に、上記遊技球流路部に振動を与えつつ音声を出力する音声出力手段を具備することを特徴とする遊技機。
【請求項２】
遊技球を貯留する遊技球タンクと同遊技球タンクの下部流出口から遊技球払い出し機構へ遊技球を流下させるタンクレールとを有する遊技球流路部を備える遊技機であって、
上記遊技球タンクに、当該遊技球タンクに振動を与えつつ音声を出力する音声出力手段を具備することを特徴とする遊技機。
【請求項３】
上記請求項１または請求項２に記載の遊技機において、
上記音声出力手段は、上記遊技球タンクと上記タンクレールのいずれかまたは組み合わせに対して着脱可能なねじにより取り付ける位置を変更可能に取り付けられるとともに、当該ねじの抜け止めを図る抜け止め機構が設けられていることを特徴とする遊技機。
【請求項４】
上記請求項１または請求項２に記載の遊技機において、
上記遊技球タンクと上記タンクレールのいずれかまたは組み合わせは、外側面に上記音声出力手段を密着させて収容するとともに位置を変更可能な収容ポケットを備えることを特徴とする遊技機。
【請求項５】
上記請求項１〜請求項４のいずれかに記載の遊技機において、
単一の上記音声出力手段が上記遊技球タンクと上記タンクレールの双方に対して取り付けられていることを特徴とする遊技機。
【請求項６】
上記請求項１〜請求項５のいずれかに記載の遊技機において、
上記音声出力手段は、上記遊技球タンクと上記タンクレールのいずれかまたは組み合わせを共振させる周波数の音を音声出力することを特徴とする遊技機。
【請求項７】
上記請求項１〜請求項６のいずれかに記載の遊技機において、
上記音声出力手段は、本遊技機の動作が正常でないことを報知する報知音を音声出力することを特徴とする遊技機。
【請求項８】
上記請求項１〜請求項７のいずれかに記載の遊技機において、
上記音声出力手段は、上記遊技球を払い出す条件が成立したときに音声を出力することを特徴とする遊技機。
【手続補正２】
【補正対象書類名】明細書
【補正対象項目名】００２１
【補正方法】変更
【補正の内容】
【００２１】
【発明の効果】
以上説明したように、本発明は、別途振動を与える装置を設置する必要がなく、遊技球タンク内やタンクレール内にて玉詰まり現象を生じさせないようにすることが可能な遊技機を提供することができる。ここで、玉詰まり現象は遊技球タンクの下部流出口からタンクレールの遊技球導入部位にかけて生じやすいので、より確実に玉詰まり現象を生じさせないようにすることが可能となる。
また、請求項２にかかる発明によれば、別途振動を与える装置を設置する必要がなく、遊技球タンク内やタンクレール内にて玉詰まり現象を生じさせないようにすることが可能な遊技機を提供することができる。
さらに、請求項３にかかる発明によれば、音声出力手段の取り付け構造の一例を提供することができる。ここで、音声出力手段を取り付けるねじには抜け止め機構が設けられているので、音声出力手段から大きな振動が生じてもねじは脱落しない。したがって、音声出力手段は取り付け位置から外れてしまうことがない。また、音声出力手段は遊技球タンクとタンクレールのいずれかまたは組み合わせに対して装着位置を変更可能に装着されていることになり、遊技球タンクとタンクレールの構造や、遊技球の流れに応じて音声出力手段の装着位置を調整することが可能となるので、利便性が向上する。
さらに、請求項４にかかる発明によれば、音声出力手段は収容ポケットに密着して収容されると、生じる振動を音声出力手段から遊技球タンクやタンクレールに伝えることができる。すなわち、音声出力手段を遊技球タンクやタンクレールに装着する際に収容ポケットに収容するだけでよいので、音声出力手段の交換が容易となる。また、収容ポケットに収容された音声出力手段は遊技球タンクとタンクレールのいずれかまたは組み合わせに対して装着位置を変更可能に装着されていることになり、遊技球タンクとタンクレールの構造や、遊技球の流れに応じて音声出力手段の装着位置を調整することが可能となるので、利便性が向上する。
さらに、請求項５にかかる発明によれば、単一の音声出力手段から音声出力の際に生じる振動は、遊技球タンク内とタンクレール内の遊技球に伝えられる。従って、遊技球タンク内やタンクレール内の遊技球は滞留せず、遊技球の流下が促進される。
さらに、請求項６にかかる発明によれば、遊技球タンクやタンクレールに与えられた振動は、共振することにより大きくなる。したがって、より効果的に遊技球タンク内やタンクレール内の遊技球の流下を促進させることができる。
さらに、請求項７にかかる発明によれば、本遊技機の動作が正常でないことを報知する報知音を音声出力する手段を利用して本発明にいう音声出力手段を構成することができるので、構造が複雑とならない。
さらに、請求項８にかかる発明によれば、遊技球を払い出す条件が成立したときに遊技球流路部に音声出力手段からの振動が与えられる。遊技球流路部での玉詰まり現象は遊技球を払い出す条件が成立したときに生じやすいので、効率よく遊技球流路部での遊技球の流下を促進させることができる。
【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  パチンコ球が遊戯領域に打ち込まれることで遊戯が行われるパチンコ遊戯機には、前記遊戯領域内に前記パチンコ球を受け入れて入賞球とする入賞装置と、前記入賞球を検出して入賞信号を発信する入賞検出装置と、前記入賞信号を受信するとともにその入賞信号に応じて所定数のパチンコ球を賞品球として払い出す払出装置とが設けられており、
この払出装置は、一の入賞球に対する所定数の賞品球の払い出しが終了する前に、他の入賞球の入賞信号を受信した場合に、前記他の入賞球に対する賞品球の払い出しを連続して行うようになっているとともに、前記賞品球の払出数を計数する賞品球カウンタの値が所定値以下になったときに、この賞品球カウンタに対し次の一個の入賞球の分の賞品球数に対応する値を加算することを特徴とするパチンコ球の払い出し制御機構。
【手続補正２】
【補正対象書類名】明細書
【補正対象項目名】０００５
【補正方法】変更
【補正の内容】
【０００５】
【課題を解決するための手段】
上記の課題を解決するための請求項１の発明に係るパチンコ球の払い出し制御機構は、パチンコ球が遊戯領域に打ち込まれることで遊戯が行われるパチンコ遊戯機には、前記遊戯領域内に前記パチンコ球を受け入れて入賞球とする入賞装置と、前記入賞球を検出して入賞信号を発信する入賞検出装置と、前記入賞信号を受信するとともにその入賞信号に応じて所定数のパチンコ球を賞品球として払い出す払出装置とが設けられており、この払出装置は、一の入賞球に対する所定数の賞品球の払い出しが終了する前に、他の入賞球の入賞信号を受信した場合に、前記他の入賞球に対する賞品球の払い出しを連続して行うようになっているとともに、前記賞品球の払出数を計数する賞品球カウンタの値が所定値以下になったときに、この賞品球カウンタに対し次の一個の入賞球の分の賞品球数に対応する値を加算することを特徴とする。
【手続補正３】
【補正対象書類名】明細書
【補正対象項目名】０００６
【補正方法】変更
【補正の内容】
【０００６】
【発明の作用および効果】
請求項１の発明によれば、一の入賞球に対する賞品球の払い出しが終了する前に、他の入賞球に対する入賞信号が続いた場合には、賞品球の払い出しが連続的に行われる。このため、多数の入賞球がある場合には、全ての賞品球の払い出しが速やかに行われる。
また、賞品球カウンタの更新を次の一個の入賞球の分についてだけ行うため、遊戯中の球詰まり等に起因して電源の入れ直しを行った場合にも、多くの賞品球が払い出されなくなってしまう事態を回避することができる。